(57)【要約】      （修正有）【課題】自然力の位置エネルギーを自然の力で増幅させそのエネルギーを産業界等に提供する。【解決手段】この実用新案は、アームの先端に加えた荷重（水等）が、てこ作用により扇形の歯車を介してラチェット歯車側の歯車にそれぞれのアームの長さの比のＢ／Ａ倍に増幅された力と成ってトルクとして伝達されラチェット歯車側の軸に強力なトルクを発生させる事ができる、てこ作用動力発生機構。ラチェット歯車は、てこを元の位置に戻す時空回りする必要から採用する。アーム長が大きくなるとアーム自重が大きくなり自重のバランスの不均衡を解除するためバランスウエイトを付ける又はバネを付ける。プーリーは自動車と同様に回転を滑らかにするよう付ける。【選択図】図１
0003119652.tif 000002
【実用新案登録請求の範囲】
【請求項１】
この実用新案は、アームの先端に加えた荷重（水等）が、てこ作用により扇形の歯車を介してラチェット歯車側の歯車にそれぞれのアームの長さの比のＢ／Ａ倍に増幅された力と成ってトルクとして伝達されラチェット歯車側の軸に強力なトルクを発生させる事ができる、てこ作用動力発生機構。ラチェット歯車は、てこを元の位置に戻す時空回りする必要から採用する。
アーム長が大きくなるとアーム自重が大きくなり元の位置に戻すためバランスウエイトを付ける又はバネを付ける。プーリーは自動車と同様に回転を滑らかにするよう付ける。
【請求項２】
図１のイメージは、急勾配の山の斜面に何基ものこのユニットを並べた時、上のユニットから順順に水が下流側のユニットに引き渡されることにより初期に与えられた荷重（力）が何倍にも増幅されることを可能とする例えばＡ＝１Ｍ、Ｂ＝１００Ｍとすると１ＴＯＮの力で１００ＴＯＮ相当に増幅された力に成り、この強力な回転力で発電機を回し発電することが可能となる、てこ作用動力発生機構。
【請求項３】
図２のイメージは、小さな荷重が、てこ作用で大きな力と成ることから自動車のような乗り物に利用出来る事を示す。この場合荷重としては図１でイメージする規模のサイズでなくある程度の限界が有るのでハイブリッドカーのように補助エンジンとして使用することも可能となる。このように本実用新案は、てこの原理を有効に利用しエネルギー増幅ができるところにある、てこ作用動力発生機構。
【考案の詳細な説明】
【技術分野】本考案は、自然のエネルギーを利用した原動機を考案するための発生機構に関する考案である。
【背景技術】本考案の一部に公知のラチェットレンチにピン又は爪式ラチェット構造が採用されている。この基本機構のラチェットと呼ばれる機構を回転部の歯車に適用する。
【考案の開示】
【考案が解決しようとする課題】従来の技術は、このような発想は無く資源の有効活用として石油などの有限の資源に頼らない動力機構を考案する。
【課題を解決するための手段】（請求項１）
この実用新案は、アームの先端に加えた荷重（水等）が、てこ作用により扇形の歯車を介してラチェット歯車側の歯車にそれぞれのアームの長さの比のＢ／Ａ倍に増幅された力と成ってトルクとして伝達されラチェット歯車側の軸に強力なトルクを発生させる事ができる、てこ作用動力発生機構。ラチェット歯車は、てこを元の位置に戻す時空回りする必要から採用する。
アーム長が大きくなるとアーム自重が大きくなり元の位置に戻すためバランスウエイトを付ける又はバネを付ける。プーリーは自動車と同様に回転を滑らかにするよう付ける。
（請求項２）
図１のイメージは、急勾配の山の斜面に何基ものこのユニットを並べた時、上のユニットから順順に水が下流側のユニットに引き渡されることにより初期に与えられた荷重（力）が何倍にも増幅されることを可能とする例えばＡ＝１Ｍ、Ｂ＝１００Ｍとすると１ＴＯＮの力で１００ＴＯＮ相当に増幅された力に成り、この強力な回転力で発電機を回し発電することが可能となる、てこ作用動力発生機構。ラチェット歯車は、てこを元の位置に戻す時空回りする必要から採用する。
（請求項３）
図２のイメージは、小さな荷重が、てこ作用で大きな力と成ることから自動車のような乗り物に利用出来る事を示す。この場合荷重としては図１でイメージする規模のサイズでなくある程度の限界が有るのでハイブリッドカーのように補助エンジンとして使用することも可能となる。このように本実用新案は、てこの原理を有効に利用しエネルギー増幅ができるところにある、てこ作用動力発生機構。
【考案の効果】この実用新案は、産業革命にも匹敵するものでエネルギー革命に大きく貢献することが期待される。
【考案を実施するための最良の形態】この実用新案は、アームの先端に加えた荷重（水等）が、てこ作用により扇形の歯車を介してラチェット歯車側の歯車にそれぞれのアームの長さの比のＢ／Ａ倍に増幅された力と成ってトルクとして伝達されラチェット歯車側の軸に強力なトルクを発生させる事ができる、てこ作用動力発生機構。ラチェット歯車は、てこを元の位置に戻す時空回りする必要から採用する。アーム長が大きくなるとアーム自重が大きくなり元の位置に戻すためバランスウエイトを付ける又はバネを付ける。プーリーは自動車と同様に回転を滑らかにするよう付ける。
図１のイメージは、急勾配の山の斜面に何基ものこのユニットを並べた時、上のユニットから順順に水が下流側のユニットに引き渡されることにより各ユニット毎に順次、初期に与えられた荷重（力）が何倍にも増幅されることを可能とすることを示す。この強力な回転力で発電機を回し発電することが可能となる。図２のイメージは、小さな荷重が、てこ作用で大きな力と成ることから自動車のような乗り物に利用出来る事を示す。この場合荷重としては図１でイメージする規模のサイズでなくある程度の限界が有るのでハイブリッドカーのように補助エンジンとして使用することも可能となる。このように本実用新案は、てこの原理を有効に利用しエネルギー増幅ができるところにある。
【産業上の利用可能性】山の斜面を利用し、自然落下の水を自然の位置エネルギーを最大限に利用し数基のユニットを並べて設置することで自然水のエネルギーを何倍にも増幅させエネルギー増幅し、その力で発電機を回し電力を発生させる。
また、図２のような自動車の動力または補助動力として有効利用の可能性が有る。
【図面の簡単な説明】
【図１】この実用新案は、アームの先端に加えた荷重（水等）が、てこ作用により扇形の歯車を介してラチェット歯車側の歯車にそれぞれのアームの長さの比のＢ／Ａ倍に増幅された力と成ってトルクとして伝達されラチェット歯車側の軸に強力なトルクを発生させる事ができる、てこ作用動力発生機構。ラチェット歯車は、てこを元の位置に戻す時空回りする必要から採用する。アーム長が大きくなるとアーム自重が大きくなり元の位置に戻すためバランスウエイトを付ける又はバネを付ける。またプーリーを自動車と同様に回転を滑らかにするよう付ける。図１のイメージは、急勾配の山の斜面に何基ものこのユニットを並べた時、上のユニットから順順に水が下流側のユニットに引き渡されることにより各ユニット毎に順次、初期に与えられた荷重（力）が何倍にも増幅されることを可能とすることを示す。この強力な回転力で発電機を回し発電することが可能となる。
【図２】図２のイメージは、小さな荷重が、てこ作用で大きな力と成ることから自動車のような乗り物に利用出来る事を示す。この場合荷重としては図１でイメージする規模のサイズでなくある程度の限界が有るのでハイブリッドカーのように補助エンジンとして使用することも可能となる。このように本実用新案は、てこの原理を有効に利用しエネルギー増幅ができるところにある。
【図１】
0003119652.tif 000003
【図２】
0003119652.tif 000004
【手続補正書】
【提出日】平成17年11月10日(2005.11.10)
【手続補正１】
【補正対象書類名】実用新案登録請求の範囲
【補正対象項目名】全文
【補正方法】変更
【補正の内容】
【実用新案登録請求の範囲】
【請求項１】
回転軸と一体となった扇形の歯車と、水等の荷重を入れる容器を取り付けたアームと、荷重が作用して荷重が作用してアームが回転して水がこぼれた後に、回転したアームを元の戻すためのアーム用バランスウエイトまたは戻し用バネで構成するアームを、扇形の歯車から回転軸までのアームの長さをＡとし、回転軸から水を入れる容器までのアームの長さをＢとするアームにより、梃子作用の原理により、作用させた荷重（水等）により発生する回転力をアームの長さの比のＢ対Ａの比率に増幅された力（回転力）を、回転軸と一体となった一方向のみに回転させるためのラチェット式歯車と、回転を滑らかにするために取り付けたプーリーとで構成する構造に、ラチェット式歯車を介して力を伝達する、梃子作用動力発生機構。
【請求項２】
ラチェット式歯車とプーリーから構成される構造に発電機を取り付け電力発生の動力とする、要求項１記載の梃子作用動力発生機構。
【請求項３】
四輪車の車軸側にラチェット式歯車を付け、要求項１記載の構造のアームを取り付け四輪車の動力とする、梃子作用動力発生機構。